(57)【要約】【課題】文字板に設けられた文字や目盛等の表示部と、指針とをオーバラップさせて表示でき、且つ立体感に富む斬新な見映えが得られる透過型円盤指針を備える表示装置を提供する。【解決手段】文字２ａを備える文字盤２と、主目盛３ａおよび副目盛３ｂ備える目盛板３とを透光性材質から成る導光円盤指針１の前面側、裏面側にそれぞれ配置すると共に、円錐面状の目盛板３の中央部に隙間Ｗを隔てて背景板４を配置し、隙間Ｗを介して、背景板４の背後に設置した発光ダイオード９からの光により目盛板３を照射して目盛板３に環状のグラデーション輝部を形成する構成とした。これにより、文字２ａ、主目盛３ａおよび副目盛３ｂと指針１ｃとをオーバラップさせて表示し且つ目盛板３の見映えを立体感に富むものとして、良好な視認性、且つ斬新な見映えのスピードメータＳを提供できる。【選択図】図２
2007309837.tif 000002
【特許請求の範囲】
【請求項１】
指針を有する円盤状の指針盤と、
前記指針盤の裏面側に配置された第１表示部を有する第１文字盤とを備える表示装置であって、
前記指針盤は、透光性材料により構成され、前記指針盤の内部を光が進行するようになっており、
前記指針盤の内部に光を照射する第１光源と、
前記指針盤に設けられ、前記指針を表すように、前記指針盤の内部を進行する前記第１光源からの光を視認者側に導く導光手段とを備え、
前記第１文字盤は視認方向において前記指針盤から遠ざかるに連れて前記指針盤の中心に近づくような略円錐面状に形成され、
前記第１文字盤の視認方向における途中且つ内周側に、前記第１文字盤の径方向に前記第１文字盤と隙間を隔てて円形の背景板が配置され、
前記背景板の裏面側に前記第１文字盤に光を照射するように配置された第２光源とを備えることを特徴とする表示装置。
【請求項２】
前記第１文字盤の第１表示部は計器の目盛であることを特徴とする請求項１に記載の表示装置。
【請求項３】
前記背景板の外周側且つ前面側に鏡部材を設けたことを特徴とする請求項１または請求項２に記載の表示装置。
【請求項４】
前記鏡部材は、外周から内周に向かうに連れて前面側に向かうような円錐面状に形成されたことを特徴とする請求項３に記載の表示装置。
【請求項５】
前記指針盤の前面側に配置された第２表示部を有する第２文字盤を備えることを特徴とする請求項１ないし請求項４のいずれかに記載の表示装置。
【請求項６】
前記第２文字盤は透光性材料により構成され、前記第２文字盤の内部を光が進行するようになっており、
前記第２文字盤の内部に光を照射する第３光源と、
前記第２文字盤に設けられ、前記第２表示部を表すように、前記第２文字盤の内部を進行する前記第３光源からの光を視認者側に導く導光手段とを備えることを特徴とする請求項５に記載の表示装置。
【発明の詳細な説明】
【技術分野】
【０００１】
本発明は、透過型円盤指針を備える表示装置に関するものであり、特に車両に搭載される計器等の車両用表示装置に用いて好適なものである。
【背景技術】
【０００２】
従来の表示装置の１つとして、透過型円盤指針を備えるアナログメータがある。透過型円盤指針は、例えば、文字・目盛等を備える文字板の前面側に、回転駆動内機により回転駆動される円盤状の指針板を配置し、この指針盤にスリットを設け、指針板のうちスリットを除く部分を不透光性として、指針板の背後から光を照射することで、このスリットからの光を指針として見えるようにしたものである（例えば、特許文献１参照）。
【特許文献１】特許第３０１２０９０号公報
【発明の開示】
【発明が解決しようとする課題】
【０００３】
ところで、一般に表示装置では、例えば、指針が指し示す文字や目盛等の表示部の判読性を向上させるためには、文字板の前面側に指針板を配置して、文字板に設けられた文字や目盛等と、指針とをオーバラップさせて表示させることが好ましい。
【０００４】
しかし、上記した従来の透過型円盤指針では、指針板のうちスリットを除く部分が不透光性（不透明）であることから、これらをオーバラップさせると文字や目盛等が指針板の陰になり見えなくなってしまうため、指針板を文字板に設けられた文字や目盛等とオーバラップさせて配置することができなかった。
【０００５】
また、上記した従来の透過型円盤指針では、指針板の裏面側に配置される文字盤は平面状に形成されているため、表示装置の見映えが平板的となり、立体感に乏しい面白味に欠けるものとなってしまう。
【０００６】
本発明は、上記点に鑑み、従来とは異なる新規な構造の透過型円盤指針を備える表示装置を提供することを第１の目的とする。また、文字板に設けられた文字や目盛等の表示部と、指針とをオーバラップさせて表示させることができ、且つ立体感に富む斬新な見映えが得られる透過型円盤指針を備える表示装置を提供することを第２の目的とする。
【課題を解決するための手段】
【０００７】
本発明は上記目的を達成するため、以下の技術的手段を採用する。
【０００８】
本発明の請求項１に記載の表示装置は、指針を有する円盤状の指針盤と、指針盤の裏面側に配置された第１表示部を有する第１文字盤とを備える表示装置であって、指針盤は、透光性材料により構成され、指針盤の内部を光が進行するようになっており、指針盤の内部に光を照射する第１光源と、指針盤に設けられ、指針を表すように、指針盤の内部を進行する第１光源からの光を視認者側に導く導光手段とを備え、第１文字盤は視認方向において指針盤から遠ざかるに連れて前記指針盤の中心に近づくような略円錐面状に形成され、第１文字盤の視認方向における途中且つ内周側に、第１文字盤の径方向に第１文字盤と隙間を隔てて円形の背景板が配置され、背景板の裏面側に第１文字盤に光を照射するように配置された第２光源とを備えることを特徴としている。
【０００９】
上述の構成によれば、指針盤の内部を進行する光を導光手段により視認者側に導くことで指針を表示する、という新規の構造の透過型円盤指針を備える表示装置を提供できる。
【００１０】
また、指針盤を透光性材料から形成したことにより、指針盤の裏面側に配置された第２文字盤の第２表示部と指針とをオーバラップさせて表示することが可能となる。
【００１１】
また、第２文字盤を円錐面状に形成したことにより、第２文字盤は視認方向において奥行きを有するように見える。すなわち第２表示部の見映えが立体感の強調されたものになる。
【００１２】
また、背景板の裏側に配置した第２光源からの光を背景板と第１文字盤との隙間から出射させて第１文字盤を照射すると、第１文字盤表面は、背景板近傍が最も明るく背景板から前面側に向かうに連れて徐々に暗くなる。すなわち、第１文字盤表面に環状のグラデーション輝部が形成される。これによって、第１文字盤の見映えが立体感の強調されたものになる。
【００１３】
したがって、文字盤に設けられた文字や目盛等の表示部と、指針とをオーバラップさせて表示させることができ、且つ立体感に富む斬新な見映えが得られる透過型円盤指針を備える表示装置を提供することができる。
【００１４】
本発明の請求項２に記載の表示装置では、第１文字盤の第１表示部は計器の目盛であることを特徴としている。
【００１５】
上述の構成によれば、指針盤の指針とオーバラップして、つまり重なって視認される第１表示部を計器の目盛とすれば、指針と目盛が重なることにより、計器の指示値を正確且つ容易に読取ることが可能な表示装置を提供できる。
【００１６】
本発明の請求項３に記載の表示装置は、背景板の外周側且つ前面側に鏡部材を設けたことを特徴としている。
【００１７】
上述の構成によれば、視認者から見ると、第１文字盤が備える第１表示部の少なくとも一部が、鏡部材に映って見える。すなわち、視認者は、鏡部材に結像された第１表示部の少なくとも一部の反射虚像を視認する。この反射虚像は、視認方向において鏡部材よりも奥側にあるように見える。したがって、第１文字盤の見映えをより立体感に富むものとすることができる。
【００１８】
この場合、本発明の請求項４に記載の表示装置のように、鏡部材を、外周から内周に向かうに連れて前面側に向かうような円錐面状に形成すれば、鏡部材上に結像された第１文字盤の反射虚像において、第1文字盤の第２光源からの光により照射された部分が暗く目立たなくなる。これにより、第1文字盤の第２光源からの光により照射された部分は、背景板の外周側にのみ、くっきり視認されるようにして、表示装置の見映えをより良好なものにできる。
【００１９】
本発明の請求項５に記載の表示装置は、指針盤の前面側に配置された第２表示部を有する第２文字盤を備えることを特徴としている。
【００２０】
上述の構成によれば、視認方向において、視認者側から、第２文字盤、指針盤、第１文字盤の順に重なっている。したがって、表示装置の見映えをより立体感に富むものとすることができる。
【００２１】
この場合、本発明の請求項６に記載の表示装置のように、第２文字盤を透光性材料により構成し、第２文字盤の内部を光が進行する可能とし、第２文字盤の内部に光を照射する第３光源と、第２文字盤に設けられ、第２表示部を表すように、第２文字盤の内部を進行する第３光源からの光を視認者側に導く導光手段とを備えれば、第２文字盤は、第２表示部以外の部分が透光性であるため、第２文字盤の裏側に重ねて配置された部材、つまり指針盤、第１文字盤等を広い範囲に亘って同時に見せることができる。また、第２表示部を、指針の前面側にあたかも空間に浮かぶかのように見せることができる。したがって、表示装置の見映えをより立体感に富み、且つ斬新なものとすることができる。
【発明を実施するための最良の形態】
【００２２】
以下、本発明による表示装置を自動車に搭載されるコンビネーションメータ１００に組み込まれたスピードメータＳに適用した場合を例に図面に基づいて説明する。
【００２３】
図１は、本発明の一実施形態によるスピードメータＳを備えたコンビネーションメータ１００の部分正面図である。
【００２４】
図２は、図１中のＩＩ−ＩＩ線断面図である。
【００２５】
図３は、図２中のＩＩＩ部拡大図である。
【００２６】
図４は、本発明の一実施形態によるスピードメータＳの電気回路構成を説明する模式図である。
【００２７】
コンビネーションメータ１００は、自動車の運転席前方の運転者から視認可能な位置に配設され、図１に示すように、当該自動車の走行速度を表示するスピードメータＳを備え、さらに図示しない他の計器や各種インジケータ等を備えている。運転席は、図２においてコンビネーションメータ１００の左側にあり、コンビネーションメータ１００は、図２において左側から視認される。
【００２８】
スピードメータＳにおいては、前面側、すなわち視認者側から、図２に示すように、第２文字盤である文字盤２、指針盤である導光円盤指針１、第１文字盤である目盛板３が配置されている。以下に、スピードメータＳの構成について説明する。
【００２９】
第２文字盤としての文字盤２は、透光性材料、たとえば無色透明のポリカーボネート樹脂あるいはアクリル樹脂等から、略円板状且つ図２に示すように視認者から見て凹面状に形成されている。文字盤２は、後述する指針盤である導光円盤指針１の前面側（図２において左側）に配置されている。
【００３０】
文字盤２は、図１に示すように、第２表示部である文字２ａを備えている。文字２ａは、スピードメータＳにおいて速度を示す数字および速度の単位を形成している。文字２ａは、文字盤２の裏面（図２において右側の面）に、文字２ａの形状を成す溝を設けるとともに、この溝の内壁面にサンドブラスト加工を施すことにより形成されている。文字２ａを形成する溝の内壁面には、サンドブラスト加工により多数の微細な凹凸が形成される。この多数の微細な凹凸が、文字盤２内を進行する後述する第３光源としての発光ダイオード７が発する光を拡散反射して視認者側に導くことにより、文字２ａが発光表示される。すなわち、文字２ａを構成する多数の微細な凹凸が、文字盤２内を進行する光を視認者側に導く導光手段としての機能を果たしている。なお、文字盤２において、文字２ａの周囲は無色透明であるので、文字盤２を透過して文字盤２の背後にあるものが明瞭に視認される。
【００３１】
文字盤２の外周には、図２に示すように、第３光源である発光ダイオード７が、文字盤２の端面から文字盤２内へ光を照射可能に配置されている。発光ダイオード７は、プリント基板１２に実装されている。
【００３２】
指針盤である導光円盤指針１は、透光性材料、たとえば無色透明のポリカーボネート樹脂あるいはアクリル樹脂等から形成されている。導光円盤指針１は、図２に示すように、略円板状且つ図２に示すように視認者から見て凹面状に形成されている。すなわち、導光円盤指針１は、凹面状の円盤部１ａと導光円盤指針１の回転軸として機能する軸部１ｂとから構成されている。
【００３３】
円盤部１ａは、図１に示すように、軸部１ｂを回転中心とする凹面状回転体、言い換えると視認者側に内側を向けた全域に亘り一様な肉厚のお椀状を成している。
【００３４】
軸部１ｂは、円柱状に形成されている。軸部１ｂは、後述するムーブメント１０の出力軸を兼用している。したがって、ムーブメント１０が駆動されると軸部１ｂが回転し、それにより導光円盤指針１が回転する。
【００３５】
円盤部１ａの表面側（図２において左側）且つ軸部１ｂと対向する部分には、図２に示すように、反射面１ｄが形成されている。反射面１ｄは、軸部１ｂと同軸上の円錐面として形成されている。
【００３６】
軸部１ｂの端面に対向させて、図２に示すように、第１光源である発光ダイオード６が軸部１ｂ内、すなわち導光円盤指針１内に光を照射可能に配置されている。発光ダイオード６から出射した光は、軸部１ｂの端面から軸部１ｂ内に入射し、反射面１ｄにより円盤部１ａに沿う方向に向けて反射され、円盤部１ａ内を進行する。発光ダイオード６は、図２に示すように、プリント基板１１に実装されている。
【００３７】
円盤部１ａの表面側（図２において左側）には、図２に示すように、反射面１ｄを覆う遮光キャップ１ｅが装着されている。遮光キャップ１ｅは、遮光性を備える材質、たとえば金属あるいは着色された樹脂等から、図１に示すように、円形に形成されている。遮光キャップ１ｅは、発光ダイオード６から発せられた光の一部が反射面１ｄから漏れた場合、この光を遮断して、それが視認者の目に入射し視認者が眩しく感じることを防止している。
【００３８】
円盤部１ａの裏面側（図２において右側）には、指針１ｃが設けられている。指針１ｃは、円盤部１ａの裏面側に設けられた溝の内壁面として形成されている。指針１ａを形成する内壁面には、サンドブラスト加工により多数の微細な凹凸が形成されている。この多数の微細な凹凸が、導光円盤指針１内を進行する、詳しくは円盤部１ａ内を進行する発光ダイオード６から発せられた光を拡散反射して視認者側に導くことにより、指針１ａが発光表示される。すなわち、指針１ｃを構成する多数の微細な凹凸が、導光円盤指針１内を進行する光を視認者側に導く導光手段としての機能を果たしている。なお、導光円盤指針１において、指針１ｃを除いた全域は無色透明であるので、導光円盤指針１を透過して導光円盤指針１の背後にあるものが明瞭に視認される。
【００３９】
導光円盤指針１の裏面側（図２において右側）には、第１文字盤である目盛板３が配置されている。目盛板３は、透光性材料、たとえば無色透明のポリカーボネート樹脂あるいはアクリル樹脂等から形成され、その中央に導光円盤指針１と同軸上の貫通孔３ｃを備えている。目盛板３は、図２に示すように、その外周部分は平面状を成し、視認方向において導光円盤指針１と重なる辺りから裏面側に向かって傾斜するように、言い換えると、外周側から内周側、つまり貫通孔３ｃ側に向かうに連れてその面が視認方向において視認者から遠ざかるように形成されている。
【００４０】
目盛板３は、第１表示部である主目盛３ａおよび副目盛３ｂを備えている。ここで、主目盛３ａは、視認者から見ると、図１に示すように、連続した一本の細い帯状に見えるが、実際には、実像部３ａｊと虚像部３ａｋとから構成されている。すなわち、実像部３ａｊは、目盛板３に実際に形成されたものであり、実像部３ａｊの視認者から遠いほうの端部は、図３に示すように、視認方向において後述する背景板４に設けられた鏡部材としてのミラー５よりも奥側に達している。一方、虚像部３ａｋは、ミラー５上に結像された実像部３ａｊの反射虚像である。実像部３ａｊの視認者から遠いほうの端部をミラー５よりも奥側に位置させたことによって、実像部３ａｊおよび虚像部３ａｋは連続して一本の主目盛３ａとして視認される。目盛３ａの実像部３ａｊおよび副目盛３ｂは、目盛板３の表面（図２において左側の面）または裏面（図２において右側の面）に、印刷あるいはホットスタンプを施して形成されている。すなわち、目盛板３の目盛３ａの実像部３ａｊおよび副目盛３ｂ以外の部分に遮光性着色層を設けると共に、目盛３ａの実像部３ａｊおよび副目盛３ｂを透明なままとする、あるいは半透光性着色層を設ける等の処理を施してある。目盛３ａの実像部３ａｊおよび副目盛３ｂは、目盛板３の平面部分から傾斜部分にかけて形成されている。本発明の一実施形態によるスピードメータＳにおいては、実像部３ａｊおよび副目盛３ｂには、透光性白色層が施され、それらの周囲の背景部分には遮光性黒色層が施されている。
【００４１】
目盛板３の裏側には、図２に示すように、発光ダイオード８が目盛板３を照射するように配置されている。目盛３ａの実像部３ａｊおよび副目盛３ｂは、発光ダイオード８に透過照明されて発光表示される。さらに、実像部３ａｊと、実像部３ａｊのミラー５上の反射虚像である虚像部３ａｋとが連続した一つの目盛として主目盛３ａが発光表示される。
【００４２】
視認方向において、目盛板３の傾斜部分の途中には、図２に示すように、背景板４が配置されている。背景板４は、樹脂材料あるいは金属材料から円板状に形成されている。背景板４は、図２に示すように、平面部４ａと、平面部４ａの外周側に形成された円錐面部４ｂとから構成されている。背景板４と目盛板３との間には、図２に示すように、わずかな隙間Ｗが形成されている。円錐面部４ｂは、図２に示すように、その外周から内周に向かうに連れて前面側（図２において左側）に向かうように形成されている。背景板４の平面部４ａには、黒色層が施されている。この黒色層は、その色調や艶が目盛板３の遮光性黒色層と同一に設定されている。これにより、目盛板３と背景板４とは、あたかも一体であるかのような見映えとなる。
【００４３】
背景板４の円錐面部４ｂには、鏡部材であるミラー５が固定されている。ミラー５は、樹脂材料から円錐面部４ｂと略同一形状のリング状に形成されている。ミラー５の前面側表面は、金属蒸着層を形成する、あるいは金属めっき層を形成することにより鏡面状態となっている。
【００４４】
ここで、目盛板３に形成された主目盛３ａの実像部３ａｊは、図３に示すように、視認者から見て視認方向においてミラー５よりも奥側へ延長されている。これにより、ミラー５上に結像された実像部３ａｊの反射虚像である虚像部３ａｋと、実像部３ａｊとが完全に連続するので、両者が一本の主目盛３ａとして視認される。
【００４５】
背景板４の裏側には、図２に示すように、導光円盤指針１を回転させるためのムーブメント１０が配置されている。ムーブメント１０は、たとえばステッピングモータ、あるいは交差コイル式回転機等の電気アクチュエータから構成される。ムーブメント１０の最終出力軸、すなわち導光円盤指針１が固定される回転軸は、導光円盤指針１の軸部１ｂが兼用されている。ムーブメント１０は、速度センサ２１からの検出信号に基づいて算出された走行速度に対応した角度だけ軸部１ｂを回転させるように後述するコントローラ１４により駆動される。それにより、指針１ｃが文字盤２および目盛板３と協働して走行速度を指示する。ムーブメント１０は、図２に示すように、プリント基板１１に実装されている。
【００４６】
背景板４の裏側且つ目盛板３の貫通孔３ｃの内側には、図２に示すように、第２光源である発光ダイオード９が配置されている。発光ダイオード９は、図２において左側に向けて光を照射するように配置されている。発光ダイオード９から発せられた光は、背景板４と目盛板３との間の隙間Ｗから前面側へ出射して目盛板３の表面を照射する。すなわち、隙間Ｗが、目盛板３を照射する光源としての役割を果たしている。これを視認者から見ると、目盛板３は、隙間Ｗに隣接した部分、すなわち背景板４と対抗している部分が最も明るく、隙間Ｗから前面側（図２において左側）に向かうに連れて、言い換えると目盛板３の外周側に向かうに連れて徐々に暗くなるように、つまりグラデーション状に視認される。すなわち、目盛板３の隙間Ｗから出射した光に照射された部分は、あたかも太陽のコロナのような見映えとなる。
【００４７】
目盛板３の裏側（図２において右側）には、図２に示すように、スピードメータＳの電気回路部を構成するプリント基板１１が配置されている。プリント基板１１は、たとえばガラスエポキシ基盤等からなり、各発光ダイオード６、７、８、９およびムーブメント１０が実装されている。さらに、プリント基板８には、各発光ダイオード６、７、８、９の点灯・消灯制御、ムーブメント１０の駆動制御を行うコントローラ１４が実装されている。コントローラ１４は、たとえばマイクロコンピュータ等から構成されている。なお、プリント基板１１は、スピードメータＳだけではなく、コンビネーションメータ１００の電気回路部も構成している。なお、発光ダイオード７が実装されたプリント基板１２、１３は、図示しないリード線等により、プリント基板１１と電気的に接続されている。
【００４８】
以上説明した、導光円盤指針１、文字盤２、目盛板３、背景板４およびプリント基板１１等は、ケーシング１５内に収容・固定されている。ケーシング１５は、たとえば樹脂材料等から形成されている。
【００４９】
文字盤２の前面側（図２において左側）には、略枠状の見返し板１６が装着されている。見返し板１６は、たとえば樹脂材料から形成されている。見返し板１６の視認者側端部には、図２に示すように、透明カバー１７が装着されている。透明カバー１７は、透明な樹脂あるいはガラス等の薄板から形成されている。見返し板１４をおよび透明カバー１５は、スピードメータＳの見映えを整えるとともに、スピードメータＳ内部への埃、水分の侵入を防止している。
【００５０】
一方、ケーシング１３の背後には、図２に示すように、ロアカバー１８が装着されている。ロアカバー１８は、たとえば樹脂材料から形成されている。
【００５１】
次に、本発明の一実施形態によるスピードメータＳの電気回路構成およびその作動について、図４に基づいて説明する。
【００５２】
図４に示すように、コントローラ１４には、バッテリ２０から電力が常時供給されている。また、コントローラ１４は、イグニッションスイッチ１９が、その作動状態（ＯＮまたはＯＦＦ）を検出可能に接続されている。
【００５３】
コントローラ１４には、図４に示すように、各発光ダイオード６、７、８，９およびムーブメント１０が接続されている。
【００５４】
コントローラ１４には、図４に示すように、自動車の走行速度を検出するための速度センサ２１が検出信号を入力可能に接続されている。速度センサ２１は、たとえば、電磁ピックアップ型等が用いられており、自動車の変速機の出力軸であるプロペラシャフトの回転数を検出している。
【００５５】
運転者の操作によりイグニッションスイッチ１９がＯＮ状態に切り替えられると、コントローラ１４はそれを検知して、スピードメータＳの作動を開始する。すなわち、各発光ダイオード６、７、８，９を点灯させる。同時に、速度センサ２１からの検出信号に基づいて自動車の走行速度を算出し、算出した走行速度を導光円盤指針１の指針計器１ｃが指示する角度位置となるようにムーブメント９を駆動する。
【００５６】
これにより、文字盤２の文字２ａ、目盛板３の主目盛３ａおよび副目盛３ｂ、導光円盤指針１の指針１ｃは白色で発光表示される。同時に目盛板３において、背景板４より外周側の部分が環状且つグラデーション的に照明される。この環状照明部分の色は、発光ダイオード９の発光色となる。たとえば、発光ダイオード９として青色発光ダイオードを用いれば、目盛板３の環状照明部分は青色で視認される。
【００５７】
この場合、文字盤２の文字２ａを除いた部分および導光円盤指針１の指針１ｃを除いた部分は無色透明であるため、文字２ａ、指針１ｃおよび目盛板３の主目盛３ａあるいは副目盛３ｂは重なって視認される。
【００５８】
次に、本発明の一実施形態によるスピードメータＳの特徴である導光円盤指針１、文字盤２および目盛板３の構成と、それら作用効果、特に視認性におよぼす効果について説明する。
【００５９】
本発明の一実施形態によるスピードメータＳにおいては、導光円盤指針１を無色透明の樹脂材料から形成し、指針１ｃを、溝状に形成して導光円盤指針１内を進行する光を視認者に向けて反射することで発光表示している。これにより、新規の構造の透過型円盤指針を備えるスピードメータＳを提供できる。
【００６０】
また、指針盤である導光円盤指針１を透光性材料から形成したことにより、導光円盤指針１の裏面側に配置された目盛板３の主目盛３ａおよび副目盛３ｂと指針とをオーバラップさせて表示することが可能となる。
【００６１】
また、目盛板３を視認方向に中心軸を有する円錐面状に形成したことにより、目盛板３は視認方向において奥行きを有するように見える。すなわち主目盛３ａおよび副目盛３ｂの見映えが立体感の強調されたものになる。
【００６２】
また、背景板４の裏側に配置した第２光源である発光ダイオード９からの光を背景板４と目盛板３との間の隙間Ｗから出射させて目盛板３を照射すると、目盛板３表面は、背景板４近傍が最も明るく見え且つ背景板４から前面側に向かうに連れて徐々に暗くなる。すなわち、目盛板３表面に環状のグラデーション輝部が形成される。これによって、目盛板３の見映えが立体感の強調されたものになる。
【００６３】
また、導光円盤指針１の前面側に無色透明の樹脂材料から成り文字２ａを備える文字盤２を配置したので、指針１ｃを、文字２ａ、主目盛３ａおよび副目盛３ｂとオーバラップさせて表示することができる。したがって、良好な視認性、且つ斬新な見映えのスピードメータＳを提供できる。
【００６４】
以上により、文字盤２に設けられた文字２ａ、目盛板３に設けられた主目盛３ａおよび副目盛３ｂと、指針１ｃとをオーバラップさせて表示させることができ、且つ立体感に富む斬新な見映えが得られるスピードメータＳを提供することができる。
【００６５】
また、本発明の一実施形態によるスピードメータＳにおいては、背景板４の外周側の円錐面部４ｂには、鏡部材であるミラー５を固定するとともに、ミラー５を、円錐面部４ｂと略同一形状の円錐面に形成している。このような構成によれば、視認者がスピードメータＳを見ると、目盛板３が備える主目盛３ａの実像部３ａｊが、ミラー５に映って見える。すなわち、視認者は、実像部３ａｊと、ミラー５に結像された実像部３ａｊの反射虚像である虚像部３ａｋとを同時に視認する。この虚像部３ａｋは、視認方向においてミラー５よりも奥側にあるように見える。これにより主目盛３ａを副目盛３ｂよりも長く見せることができると同時に、主目盛３ａおよび副目盛３ｂを立体感豊かな見映えとすることができる。したがって、良好な視認性、且つ斬新な見映えのスピードメータＳを提供できる。
【００６６】
また、本発明の一実施形態によるスピードメータＳにおいては、ミラー５を、外周から内周に向かうに連れて前面側に向かうような円錐面状に形成しているので、ミラー５上に結像された目盛板３の反射虚像において、目盛板３の発光ダイオード９からの光により照射された部分が暗く目立たなくなる。これにより、目盛板３は、背景板４の外周側にのみ、発光ダイオード９からの光により照射されたグラデーション調輝部がくっきり視認されるので、表示装置の見映えをより良好なものにできる。
【００６７】
また、導光円盤指針１を視認方向において湾曲する、つまり視認者側から見て凹面を成す形状に形成するとともに、文字盤２も同様に視認者側から見て凹面を成す形状に形成した。これにより、指針１ｃはその長手方向の位置により視認者の目までの距離である視認距離が異なり、指針１ｃの見映えが立体感の強調されたものとなる。したがって、文字２ａ、主目盛３ａおよび副目盛３ｂと指針１ｃとをオーバラップさせて表示することと相まって、立体感に富み且つ斬新な見映えのスピードメータＳを提供できる。さらに、導光円盤指針１および文字盤２を視認者側から見て凹面を成す形状に形成したことにより、これらを凹面鏡のように作用させ、スピードメータＳに入射した外来光により文字盤２および導光円盤指針１上に結像される反射虚像を歪めて不明瞭なものとして、これらの反射虚像によってスピードメータＳの視認性が低下することを抑制できる。
【００６８】
なお、以上説明した、本発明の一実施形態によるスピードメータＳにおいては、導光円盤指針１が備える指針１ｃを、円盤部１ａの裏面に溝を設け且つ溝の内壁面にサンドブラストを施すことにより形成しているが、このような構成に限定する必要は無く、導光円盤指針１内を進行する光を視認者に向けて反射可能な導光手段であれば、他の構成としてもよい。たとえば、円盤部１ａの裏面に指針１ｃの形状に着色層を施してもよい。
【００６９】
また、以上説明した、本発明の一実施形態によるスピードメータＳにおいては、文字盤２が備える文字２ａを、文字盤２の裏面に溝を設け且つ溝の内壁面にサンドブラストを施すことにより形成しているが、このような構成に限定する必要は無く、文字盤２内を進行する光を視認者に向けて反射可能な導光手段であれば、他の構成としてもよい。たとえば、文字盤２の裏面に文字２ａの形状に着色層を施してもよい。
【００７０】
また、以上説明した、本発明の一実施形態によるスピードメータＳにおいては、目盛板３の内側に背景板４の外周部分に円錐部４ｂを設け、ここにミラー５を固定しているが、別部品のミラー５に替えて円錐部に鏡面処理（たとえばアルミニウム蒸着膜処理、あるいは金属めっき処理等）を施して鏡部材としてもよい。
【００７１】
また、以上説明した、本発明の一実施形態によるスピードメータＳにおいては、導光円盤指針１および文字盤２の形状を、視認者側から見て凹面状に形成しているが、両者のうち少なくとも一方を平面状に形成し且つその表面に防眩膜処理を施しても良い。
【００７２】
また、以上説明した、本発明の一実施形態によるスピードメータＳでは、第１〜第３光源として発光ダイオードを用いているが、これらのうち少なくとも一つを他の種類の光源、たとえば放電等、ＥＬパネル等に置き換えてもよい。
【００７３】
また、以上説明した実施形態は表示装置をスピードメータＳに適用した場合を例に説明してきたが、スピードメータＳに限る必要は無く、他の種類の計器、たとえば、当該自動車のエンジン回転速度を指示するタコメータ、燃料タンク内の残存燃料量を指示する燃料計、エンジン冷却水温度を指示する水温計等に適用してもよい。また、一つのコンビネーションメータ１００内に本発明による表示装置を複数個備えてもよい。
【図面の簡単な説明】
【００７４】
【図１】本発明の一実施形態によるスピードメータSを備えたコンビネーションメータ１００の部分正面図である。
【図２】図１中のＩＩ−ＩＩ線断面図である。
【図３】図１中のＩＩＩ−ＩＩＩ線断面図である。
【図４】本発明の一実施形態によるスピードメータＳの電気回路構成を説明する模式図である。
【符号の説明】
【００７５】
１    導光円盤指針（指針盤）
１ａ    円盤部
１ｂ    軸部
１ｃ    指針（導光手段）
１ｄ    反射面
１ｅ    遮光キャップ
２    文字盤（第２文字盤）
２ａ    文字（第２表示部）
２ａ１    微細凹凸（導光手段）
３    目盛板（第１文字盤）
３ａ    主目盛（第１表示部、目盛）
３ａｊ    実像部
３ａｋ    虚像部
３ｂ    副目盛（第１表示部、目盛）
３ｃ    貫通孔
４    背景板
４ａ    平面部
４ｂ    円錐面部
５    ミラー（鏡部材）
６    発光ダイオード（第１光源）
７    発光ダイオード（第３光源）
８    発光ダイオード
９    発光ダイオード（第２光源）
１０    ムーブメント
１１    プリント基板
１２    プリント基板
１３    プリント基板
１４    コントローラ
１５    ケーシング
１６    見返し板
１７    透明カバー
１８    ロアカバー
１９    イグニッションスイッチ
２０    バッテリ
２１    速度センサ
１００  コンビネーションメータ
Ｓ    スピードメータ（表示装置、計器）
Ｗ    隙間
【図１】
2007309837.tif 000003
【図２】
2007309837.tif 000004
【図３】
2007309837.tif 000005
【図４】
2007309837.tif 000006